(57)【要約】      （修正有）【課題】患者の容体の急変を外部の人間に知らせることができる遠隔診療システムの被診療者側情報処理端末を提供する。【解決手段】医療従事者６が操作する医療従事者側情報処理端末３に情報通信経路２を介して接続され、被診療者５が医療従事者と情報を交換して遠隔診療を可能にする情報処理機器１ａと、被診療者を収納する内部空間を画成して内部空間で被診療者に情報処理機器を操作させる箱体と、を備えた被診療者側情報処理端末１であって、箱体は不特定多数の人１１が入退出する外部空間１０に設置され、箱体に被診療者が緊急事態に陥ったときに緊急事態を箱体外部の人に知らせる緊急報知システム１２を設ける。緊急報知システムは救助要請メッセージを発信すると共に、救助者が箱体に容易に到達できるよう案内情報を提供する。【選択図】図１
0003230687.tif 000002
【実用新案登録請求の範囲】
【請求項１】
医療従事者が操作する医療従事者側情報処理端末に情報通信経路を介して接続され、被診療者が前記医療従事者と情報を交換して遠隔診療を可能にする情報処理機器と、
前記被診療者を収納する内部空間を画成して該内部空間で前記被診療者に前記情報処理機器を操作させしめる箱体と、を備えた被診療者側情報処理端末において、
前記箱体は不特定多数の人が入退出する外部空間に設置され、
前記箱体に前記被診療者が緊急事態に陥ったときに当該緊急事態を前記箱体外部の人に知らせる緊急報知システムを設けたことを特徴とする被診療者側情報処理端末。
【請求項２】
前記緊急報知システムは前記内部空間内から前記緊急事態が発生したとのメッセージを外部に発信する発信手段と、
前記箱体の外部にいる救助者を前記箱体の内部空間に案内する案内手段を含む請求項１記載の被診療者側情報処理端末。
【考案の詳細な説明】
【技術分野】
【０００１】      本考案は遠隔診療システムに係り、詳しくは、遠隔診療システムの被診療者側情報処理端末に関する。
【背景技術】
【０００２】      遠隔診療システムとは、医師が医師の勤務する病院等から離れた遠隔地にいる患者と情報処理機器およびインターネット等情報通信経路を介して問診し患者の生体情報を得て診療するシステムである（特許文献１）。この診療支援システムは利用者端末と該利用者端末に接続された医療機関端末の両者に接続された遠隔診療支援装置を有しており、遠隔診療支援装置は利用者端末から得られ情報に基づき診療方針提案書を利用者端末と医療機関端末に送信し、医師と患者の問診等の時間を短縮して診療を促進することに寄与する。
【先行技術文献】
【特許文献】
【０００３】
【特許文献１】特許第６７６４２０２号
【考案の概要】
【考案が解決しようとする課題】
【０００４】      しかしながら、従来の遠隔診療システムでは、利用者端末と医療機関端末がどのような環境に置かれて稼働するのかについて何も開示していない、医療機関端末は病院や診療所に設置されるものと想像できるが、利用者端末の設置環境について考慮した形跡はない。そこで本実用新案登録出願人は令和２年１１月３日付で出願した特許出願において、患者等利用者の便宜を図れる被診療者側情報処理端末を提案した。【０００５】  本出願人が特許出願した発明では、箱体内の患者の発する声や再生される医師の声、更に患者の介護者の声を箱体外側において意味を不明にさせる音声防護手段を箱体に関連して設けた。その結果、医師と患者の問診が箱体内で行われても、患者の個人情報を保護でき、被診療者側情報処理端末を不特定多数の者が出入りする公共空間に設置できるようになったので、被診療者側情報処理端末を利用する患者の利便を図れるようになった。【０００６】  ところが箱体の内部空間は、外部空間から隔絶されているので、患者が介助者と一緒に箱体に入っている場合はともかく、患者が一人で遠隔診療を受けている場合には、箱体内で患者の容体が急変したとき、その急変は他人に知られにくく、患者は救助を受けにくい。【０００７】  このような問題点に鑑み、本考案は箱体内部で遠隔診療を受けている患者を容体の急変時に外部に知らせ救助させることを目的にしている。
【課題を解決するための手段】
【０００８】    本考案に係る被診療者側情報処理端末は医療従事者が操作する医療従事者側情報処理端末に情報通信経路を介して接続され被診療者が医療従事者と情報を交換して遠隔診療を可能にする情報処理機器と、被診療者を収納する内部空間を画成してこの内部空間で被診療者に情報処理機器を操作させしめる箱体とを有し、箱体は不特定多数の人が入退出する外部空間に設置されており、この箱体には被診療者が緊急事態に陥ったときに緊急事態を箱体外部の人に知らせる緊急報知システムが設けられている。なお、緊急報知システムを内部空間内から緊急事態が発生したとのメッセージを外部に発信する発信手段と、箱体の外部でメッセージを受け取った救助者を前記箱体の内部空間に案内する案内手段を含んで構成してもよい。
【考案の効果】
【０００９】      緊急報知システムは内部空間が外部空間から隔絶されていても、緊急報知システムが箱体内の患者の急変を外部、例えば、被診療者側情報処理端末の管理者やその依頼を受けた警備者、あるいは箱体近くの外部空間を往来する不特定多数の人に知らせるので、患者は自らの急変を外部の人に気付いてもらえ、外部の人の助けで必要な応急処置を受けたり、救急車を呼んでもらい病院へ搬送してもらえる。
【図面の簡単な説明】
【００１０】
【図１】本考案の一実施形態を表すシステム構成図である。
【図２】本考案の他の実施形態を表すシステム構成図である。
【図３】図１に示した一実施形態に含まれる被診療者側情報処理端末と該情報処理端末の管理者の情報処理機器で実行されるプログラムの一例を示すフローチャート図である。
【図４】図２に示した他の実施形態に含まれる被診療者側情報処理端末で実行されるプログラムの一例を示すフローチャート図である。
【考案を実施するための形態】
【００１１】      図１において、１は被診療者側情報処理端末を指し示しており、被診療者側情報処理端末１は情報通信経路として機能するインターネット２を介して医療従事者側情報処理端末３に接続されている。これら被診療者側情報処理端末１と医療従事者側情報処理端末３にはパーソナルコンピュータ、タブレット端末、スマートフォン等情報処理機能を有する情報処理機器１ａ，３ａが配置されており、情報処理機器１ａ，３ａは内部のプログラムメモリ中の各種アプリケーションプログラムをオペレイティングシステムの管理下で選択的に実行して、遠隔診療時必要な所定の機能を実現する。情報通信経路はインターネット２に限定されず、電話回線、無線通信網や専用回線であってもよい。
【００１２】  上記所定の機能には、医療従事者としての医師６の音声を医療従事者音声データとし、また医師６の表情等外観を医療従事者画像データとして作成し、医療従事者音声データと医療従事者画像データを情報処理機器３ａからインターネット２を介して情報処理機器１ａに送信して医師６の音声と外観を情報処理機器１ａ上で再生する機能、および被診療者としての患者５の音声を被診療者音声データとし、また患者５の顔色等外観を被診療者画像データとして被診療者音声データと被診療者画像データを情報処理機器１ａからインターネット２を介して情報処理機器３ａへ送信して、情報処理機器３ａ上で患者５の音声と外観を再現する機能を含む。医師６はこの機能により患者５の遠隔診療を実施する。このような遠隔診療用アプリケーションプログラムは既知なので、これ以上の説明を省略する。
【００１３】      被診療者側情報処理端末１には、生体検査機器７が設置されており、生体検査機器７は接触または非接触で患者５の熱、血圧、血液成分、血液酸素濃度等生体情報を情報処理機器１ａに供給し、情報処理機器１ａは生体情報を表す生体データをインターネット２経由で情報処理機器３ａと遠隔診療支援装置８に送信する。情報処理機器３ａは遠隔診療支援装置８から送られてくる過去の生体情報と共に現在の生体情報を表示し、医師６はこれら生体情報を遠隔診療に役立てる。遠隔診療支援装置８は情報処理装置１ａから送られてくる新たな生体情報データを内部メモリに蓄積して、後日の遠隔診療に役立てる。なお、情報処理機器３ａは医師６の指示を受け、生体情報の履歴を情報処理機器１ａに転送して情報処理機器１ａに表示させることもできる、かかる機能を実現するアプリケーションプログラムも多数提案されているので、情報処理機器１ａ，３ａと遠隔診療支援装置８に選択的にインストールすればよい。したがって、これ以上の詳細な説明は省略する。
【００１４】    被診療者側情報処理端末１は箱体として機能するブース９を備えており、ブース９は内部空間９ａを画成している。本実施形態では、情報処理機器１ａと生体検査機器７は内部空間９ａに設置されている。患者５はその介護者とともに内部空間９ａに入り、情報処理機器１ａを操作し、医師６の問診に答え、医師６と情報処理機器１ａ，３ａおよびインターネット２経由で会話する。患者５の内部空間９ａへの入退出のためブースに扉９ｂが設けられている。扉９ｂには、入室後に開放を不能にする施錠機構としての鍵９ｃが取り付けられている。
【００１５】    ブース９は外部空間としての公共空間１０に設置されている。公共空間１０とは有料または無料で不特定多数の人１１が出入りできる空間であり、駅構内、駅ビル、商業ビルの共有スペース、公園、遊園地などである。したがって、特に許可された人のみ入退出できる企業の事務所、工場、病院、学校等は公共空間１０に含まれない。
【００１６】    ブース９には緊急報知システム１２が設置されている。緊急報知システム１２は緊急スイッチ１２ａと、情報処理機器１ａのハードウエアおよび内部にインストールされた緊急報知用のアプリケーションプログラムと、無線データ送受信器１２ｂを有している。緊急スイッチ１２ａは人の操作で緊急状態と通常状態に切り替えられるほか、情報処理機器１ａが人の操作なしでも切り替えることもできる。無線データ送受信器１２ｂは情報処理機器１ａから緊急状態の発生を表す緊急メッセージデータとブース９の所在を表す所在特定データを受け取り、これを公衆回線１３経由で被診療者情報処理端末１の所有者または当該所有者から管理を依頼された警備会社などの管理者１４の情報処理機器１４ａへ送信する。情報処理機器１４ａは緊急メッセージデータと所在特定データを受け取ると、緊急メッセージと患者５を収容しているブース９を特定する所在特定情報を情報処理機器１４ａに発生させる。所在特定情報としては、ブース９を設置した公共空間１０の住居表示や事前に被診療者側情報処理端末１に付された番号等である。
【００１７】    救助を指示する指令データとブース９の所在を示す所在特定データは情報処理機器１４ａから無線データ送受信器１４ｂと公衆回線１３経由して救助者１５の持つ携帯情報処理端末１４ｃに送られ、救助者１５は合鍵等を使って内部空間９ａに入り、患者５の様態を確認して必要なら救急車の手配等を行う。
【００１８】    このように公共空間１０から隔絶された内部空間９ａで遠隔診療を受けている最中に患者５の容体が悪化しても、患者５は内部空間９ａに設置された本考案に係る緊急報知システム１２で救助を求められるので、安心して遠隔診療を受けられる。本実施形態では、緊急スイッチ１２ａ、情報処理機器１ａ、無線データ送受信器１２ｂ、緊急報知用アプリケーションプログラムの緊急メッセージ作成、送信ステップ１０２（後述する図３参照）が発信手段を構成し、情報処理機器１ａ、無線データ送受信器１２ｂ、緊急報知用アプリケーションプログラムの所在特定情報の作成、送信ステップ１０２が案内手段を構成する。
【００１９】    図２は本考案に係る被診療者側情報処理端末の他の実施形態を表す。他の実施形態の被診療者側情報処理端末２１はインターネットと診療者側情報処理端末と遠隔診療支援装置と共に遠隔診療システムを構成しているが、インターネットと診療者側情報処理端末と遠隔診療支援装置は図１に描かれたインターネット２と診療者側情報処理端末３と遠隔診療支援装置８と類似なので、説明を省略する。
【００２０】    被診療者側情報処理端末２１は被診療者側情報処理端末１と類似の構成なので、同一構成部分には図１で使用した符号を対応構成部分に付し、説明を省略する。
【００２１】    被診療者側情報処理端末２１は緊急報知システム２２を備えており、緊急報知システム２２は情報処理機器１ａと、情報処理機器１ａのプログラムメモリに保持された緊急報知用アプリケーションプログラムと、扉９ｂ開閉用ソレノイド装置２２ａと、鍵９ｃの開閉切り替え用ソレノイド装置２２ｂと、ブース９の公共空間１０側壁面に取り付けられたディスプレイ装置２２ｃと緊急スイッチ２２ｄとを有する。
【００２２】    緊急スイッチ２２ｄは緊急状態と平常状態の間で人および情報処理機器１ａにより切り替え可能であり、情報処理機器１ａは緊急スイッチ２２ｄの状態、すなわち緊急状態か平常状態化かを内部メモリに保持している。ソレノイド装置２２ａは扉９ｂとブース９に取り付けられており、情報処理機器１ａの命令を受けたソレノイドドライバーが緊急状態ではソレノイド装置２２ａを励磁して扉９ｂを解放し、平常状態では消磁して人間に扉９ｂの開閉を委ねる。ソレノイド装置２２ａの励磁状態か消磁状態かは情報処理機器１ａのワーキングメモリに保持されている。
【００２３】    ソレノイド装置２２ｂは情報処理装置１ａの指令によりソレノイドドライバーに駆動されて扉９ｂの鍵９ｃを施錠状態と開錠状態に切り替えるこの鍵９ｃの状態もワーキングメモリに保持される。また、ディスプレイ装置２２ｃは緊急状態のとき情報処理機器１ａに駆動されて緊急メッセージ、例えば「室内に急病人がいます。手を貸してください」を表示する。
【００２４】    遠隔診療中の患者５の容体が急変して救助を必要とする状態に陥ったとき、患者５は緊急スイッチ２２ｄを緊急状態に切り替える。情報処理機器１ａは緊急スイッチ２２ｄから入力する緊急情報を内部メモリに保持すると共に、ソレノイド装置２２ｂを励磁して開錠する。こうして扉９ｂが解放可能になると、情報処理機器１ａはソレノイド装置２２ａを励磁して扉９ｂを解放状態にする。その結果、人１１が内部空間９ａに公共空間１０から入退出可能になる。情報処理装置１ａはさらにディスプレイ２２ｃに緊急メッセージを表す文字を表示させる。かかる状態で、公共空間１０を通行中の人１１は緊急メッセージを読み、扉９ｂを通って内部空間９ａに入り、患者５の容体を確認して適切な処置、例えば救急車の派遣を要請する。
【００２５】    このように他の実施形態の被診療者側情報処理端末２１では、外部から隔離された内部空間９ａで遠隔診療中に、患者５の容態が急変しても、緊急報知システム２２が救助の必要な状態を外部に知らせ、救助を可能にする。他の実施形態では情報処理機器１ａと、緊急報知用アプリケーションプログラムのステップ２０６（図４に関して後述）と、ディスプレイ装置２２ｃと、緊急スイッチ２２ｄは発信手段を構成しており、情報処理機器１ａと、アプリケーションプログラムのステップ２０３，２０５と、ソレノイド装置２２ａ、２２ｂは全体として案内手段を構成している。
【００２６】    図３は図１に描かれた実施形態で実行される緊急報知用アプリケーションプログラムの一例である。この緊急報知用アプリケーションプログラムは情報処理機器１ａ、１４ａにインストールされている。図３の左側が情報処理機器１ａに、右側が情報処理機器１４ａにそれぞれインストールされている。情報処理機器１ａと１４ａはそれぞれＣＰＵを有しており、遠隔診療用アプリケーションプログラムはメインルーチンを構成しており、ＣＰＵはソフトウエアタイマーの計時に従い定期的に緊急報知用アプリケーションプログラムに分岐する。
【００２７】    ＣＰＵはまずワーキングメモリへアクセスし緊急スイッチ１２ａが緊急状態を示すオンになっているか否かを調べる（ステップ１００）．緊急スイッチ１２ａが平常状態ならステップ１００の答えは「いいえ」になり、ＣＰＵはメインルーチンに戻る。
【００２８】    緊急スイッチ１２ａが患者５に操作されて緊急状態を示していると、ステップ１００の答えは「はい」になり、ＣＰＵは管理者１４が緊急事態への対応を開始したか否かを調べる（ステップ１０１）。ステップ１０１の答えが「いいえ」なら、ＣＰＵは管理者１４に救助要請をし（ステップ１０２）、メインルーチンへ戻る。一方、ステップ１０１の答えが「はい」なら、ＣＰＵは対応が開始された旨のメッセージを情報処理機器１ａのディスプレイに表示する（ステップ１０３）。続いて、ＣＰＵは管理者から緊急事態への対応が終わり緊急スイッチ１２ａを平常状態であるオフに戻すよう指示があったか否かを調べ（ステップ１０４）、答えが「はい」なら、緊急スイッチ１２ａをオフにて（ステップ１０５）、ワーキングメモリを緊急状態から平常状態へ書き換え、メインルーチンに戻る。一方、ステップ１０４の答えが「いいえ」なら、直ちにメインルーチンへ戻る。
【００２９】    一方、情報処理機器１４ａでもメインルーチンから定期的に分岐し、分岐後に救助要請があったか否かを調べ（ステップ１１１）、答えが「いいえ」なら、直ちにメインルーチンに戻る。
【００３０】    一方、ステップ１１１の答えが「はい」なら、救助者１５の携帯情報端末１４ｃに対応の指示とブース９の所在特定データを送信する（ステップ１１２）。救助者１５は情報処理端末１４ａに対応開始を通知し、情報処理端末１４ａは情報処理端末１ａに対応開始を転送する（ステップ１１３）。救助者１５は開錠し、ブース９の扉９ｂを開けて、内部空間に侵入して患者５を救助する。救助後、救助者１５は救助完了を携帯情報処理端末１４ｃから情報処理機器１４ａに報告する。
【００３１】    救助者１５からの対応完了報告があると、ステップ１１４の答えは「はい」になるので、ＣＰＵは送受信機１４ｂから緊急スイッチ１２ａをオフにするよう指示し（ステップ１１５）、メインルーチンに戻る。
【００３２】    図４は他の実施形態で実行される緊急報知用アプリケーションプログラムの一例を示している。遠隔診療用アプリケーションプログラムはメインルーチンを構成しており、定期的に緊急報知用アプリケーションプログラムに分岐する。
【００３３】    緊急報知用アプリケーション用プログラムに分岐すると、情報処理機器１ａのＣＰＵは緊急スイッチ２２ｄが緊急状態（オン）になっているか否かを調べる（ステップ２０１）。ステップ２０１の答えが「いいえ」なら、直ちにメインルーチンに戻る。一方、ステップ２０１の答えが「はい」なら、ＣＰＵは錠９ｃが施錠状態か開錠状態化を調べ（ステップ２０２）、答えが施錠状態（はい）なら、ソレノイド装置２２ｂを励磁して開錠状態にする（ステップ２０３）。その後、ＣＰＵは扉９ｂのソレノイド装置２２ａが励磁されているか否かを調べ（ステップ２０４）、答えが「いいえ」ならソレノイド装置２２ａを励磁して、扉９ｂを開く（ステップ２０５）。
【００３４】      ステップ２０５を実行したのちに、ＣＰＵはディスプレイ２２ｃに救助メッセージを表示させる（ステップ２０６）。次に、ＣＰＵは緊急スイッチ２２ｄが平常状態（オフ）になったかを調べ（ステップ２０７）、答えが「いいえ」の間はメインルーチンに戻り、答えが「はい」に代わると、ソレノイド装置２２ａ、２２ｂを消磁して、メインルーチンに戻る。
【符号の説明】
【００３５】    １，２１は被診療者側情報処理端末、
１ａは情報処理機器、
２はインターネット（情報通信経路）、
３は医療従事者側情報処理端末、
９はブース（箱体）、
１２、２１緊急報知システム。
【図１】
0003230687.tif 000003
【図２】
0003230687.tif 000004
【図３】
0003230687.tif 000005
【図４】
0003230687.tif 000006